(57)【特許請求の範囲】
【請求項１】
太ひも状に成形された水膨張性材料よりなる水膨張性ゴムと、水膨張性ゴムの長手方向に沿ってその断面中心に一体に埋設され、適度なばね性と復元性を有し、自然状態において予め螺旋状に形成された芯材と、よりなり、全体として螺旋状に復元性を有する太ひも状になることを特徴とする止水リング。
【請求項２】
前記芯材は、予め螺旋状に形成された復元性を有する針金よりなることを特徴とする請求項１に記載の止水リング。
【請求項３】
コンクリート構造物の内外を貫通して配置された貫通体の外周に配置されて前記コンクリート構造物と貫通体外周との間に形成される水みちを閉塞する止水リングにおいて、
太ひも状に成形された水膨張性材料よりなる水膨張性ゴムと、水膨張性ゴムの長手方向に沿ってその断面中心に一体に埋設され、適度なばね性と復元性を有し、自然状態において予め螺旋状に形成された芯材と、よりなり、全体として螺旋状に復元性を有する太ひも状になり、前記貫通体の外周に巻装することによって、螺旋状をなして形状保持される構造であることを特徴とする止水リング。
【請求項４】
前記貫通体が、コンクリート打設用型枠間に配置される埋め殺し式の棒状セパレータであることを特徴とする請求項３記載の止水リング。
【請求項５】
前記貫通体が、コンクリート打設用型枠間を貫通して配置され、コンクリート構造物内を貫通して埋込まれる配線・配管用のスリーブであることを特徴とする請求項３記載の止水リング。
【請求項６】
前記止水リングの巻き始め端と巻き終り端を捻って前記貫通体の外周に保持されることを特徴とする請求項３乃至５にいずれか１項記載の止水リング。
【請求項７】
請求項１乃至６のいずれか１項に記載の止水リングを用い、コンクリート打設用型枠間に貫通体を配置し、貫通体の外周の適宜位置に、前記止水リングを、貫通体の外周形状に沿って変形させつつ巻装し、しかる後型枠間にコンクリートを打設することを特徴とするコンクリート構造物の止水工法。
【発明の詳細な説明】
【技術分野】
【０００１】
本発明は、水膨張性ゴム材よりなる止水リングおよびこれを用いたコンクリート構造物の止水工法に係り、特にコンクリート打設時において止水対象物からの脱落防止効果を向上させるとともに装着能率を向上させるようにした止水リングおよび止水工法に関する。
【背景技術】
【０００２】
例えば、型枠保持用の棒状セパレータと型枠内に打設されたコンクリートの間には、隙間が生じやすく、この隙間を水みちとしてコンクリートの一方側から他方側に向けて水が侵入し、漏水の原因となる。
そこで、従来は、棒状セパレータの中間部に孔明円盤状の水膨張性ゴム材よりなる止水リングを挿入して水みちを遮断させることが行われていた。
【０００３】
ところが、上記従来の孔明円盤状の止水リングを用いる止水工法では、棒状セパレータをコンクリート型枠に設置する前に棒状セパレータに止水リングを通しておかなければならないという不具合があった。
セパレータやスリーブ管を、コンクリート型枠に設置した後に止水リングを設置する必要が生じた場合、再度セパレータやスリーブ管をコンクリート型枠から外して、端部からリング状の止水リングを挿入して設置するしかなかった。
そこで、このような不具合を解消させるために、下記特許文献１に示す止水構造が提案されている。
【０００４】
この止水構造は、扁平円盤状をなす水膨張性ゴム材からなる止水リングの外周と略中央内口との間にスリットを形成し、このスリットを拡縮して止水材をセパレータに直角に嵌め込んだものであり、さらには、止水材の外周に金属Ｃ形リングよりなる膨張拘束材を嵌め込むようにもしている。
【特許文献１】特開平５−３０２４３２号公報
【発明の開示】
【発明が解決しようとする課題】
【０００５】
しかしながら、この止水構造にあっては、止水材と膨張拘束材の双方をスリット部分の外周方向位置を異ならせてセパレータに装着させる必要があり、面倒なばかりでなく、止水リングをセパレータに取付けた状態では、止水リングが単にセパレータの外周に跨設されているだけであるため、型枠内にコンクリートを打設する際に、コンクリートそのものや、コンクリート中に含まれる骨材の落下衝撃によって止水リングが叩かれ、セパレータから容易に脱落しやすく、止水材としての機能が達成されなかった。また、膨張拘束材を止水リングの外周に嵌め込んだものであっても、落下衝撃により拘束材そのものが止水リングから外れ易く、同じく止水リングの脱落原因となっていた。
【０００６】
本発明は、以上の課題を解決するものであり、その目的とするところは、一旦貫通体の外周に装着した状態では、コンクリートの落下衝撃によっては脱落しにくく、かつ水膨張時においては、貫通体の外周に対して密着状態を保ち、止水効果を向上できるようにした装着が容易な止水リングおよびこれを用いたコンクリート構造物の止水工法を提供するものである。
【課題を解決するための手段】
【０００７】
前記目的を達成するために、本発明の止水リング５は、太ひも状に成形された水膨張性材料よりなる水膨張性ゴム６と、水膨張性ゴム６の長手方向に沿ってその断面中心に一体に埋設され、適度なばね性と変形追随性若しくは復元性を有し、自然状態において予め螺旋状に形成された芯材７と、よりなり、全体として螺旋状に復元性を有する太ひも状になることを特徴としている。
【０００８】
前記芯材７は、自然状態において、予め螺旋状に形成された復元性を有する針金よりなることを特徴としている。
【０００９】
本発明は、コンクリート構造物の内外を貫通して配置された貫通体１、１０の外周に配置されて前記コンクリート構造物と貫通体１、１０外周との間に形成される水みちを閉塞する止水リング５において、太ひも状に成形された水膨張性材料よりなる水膨張性ゴム６と、水膨張性ゴム６の長手方向に沿ってその断面中心に一体に埋設され、適度なばね性と変形追随性を有し、自然状態において予め螺旋状に形成された芯材７と、よりなり、全体として螺旋状に復元性を有する太ひも状になり、前記貫通体１、１０の外周に巻装することによって、螺旋状をなして形状保持される構造であることを特徴とする止水リング５を特徴としている。
止水リング５は、１周から３周、例えば１周半巻装させるようにすればよい。図３（ａ）に示すように、貫通体の外周に、１周半巻装させることにより、材料費を最小として、十分な膨張止水効果が得られる。
【００１０】
前記貫通体は、コンクリート打設用型枠１、１間に配置される埋め殺し式の棒状セパレータ２であることを特徴としている。
【００１１】
また、前記貫通体が、コンクリート打設用型枠１、１間を貫通して配置され、コンクリート構造物内を貫通して埋込まれる配線・配管用のスリーブ１０であることを特徴としている。
【００１２】
前記止水リング５の巻き始め端と巻き終り端を捻って前記貫通体の外周に保持されることが、密着性及び脱落防止機能を向上させる上において望ましい。
【００１３】
本発明に係るコンクリート構造物の止水工法では、上記の止水リング５を用い、コンクリート打設用型枠１、１間に貫通体２、１０を配置し、貫通体の外周の適宜位置に、前記止水リングを、貫通体の外周形状に沿って変形させつつ、１周から３周、例えば１周半巻装し、しかる後型枠間にコンクリートＣを打設することを特徴としている。
【発明の効果】
【００１４】
本発明では、水膨張性ゴム６に一体化された芯材７のばね性により、止水リング５は貫通体の外周に巻装状態に形状保持されるため、コンクリートＣの打設時の衝撃によっては脱落することがない。また、芯材７のバネ弾性による拘束力によって水膨張性ゴム６は貫通体の外周に密着したまま膨張するため、止水効果が向上する。
【００１５】
また、本発明では、セパレータやスリーブを原因とするコンクリート構造物Ｃ１の漏水を防止でき、セパレータやスリーブを型枠間に設置した状態での後付けでの止水リングの装着が可能である。
【００１６】
止水リングの巻き内径を少し小さくして、拡げて嵌め込むようにすれば、ある程度大きな外形のものにでも容易に装着でき、密着性も良好である。内径の異なる複数種類の止水リングを用意しておくことにより、いろいろなサイズのセパレータやスリーブ管に取り付けることができる。
装着時に、螺旋方向へのクセがついていた本発明の止水リングを、クセを逆にして装着し密着性を高めることができるため、長期に亙って密着させることができる。
【００１７】
さらにまた本発明では、止水リング５を貫通体外周に確実に保持することができ、特に貫通体がスリーブ１０のように大径のものに対しても、螺旋状の止水リングを適当な長さに切って使用することにより、確実な固定ができる。
【００１８】
本発明の止水工法では、格別な工具や治具を要することなく、手作業や簡単な器具を用いることにより、止水リング５を貫通体に巻装することができ、作業が簡単で、確実な止水効果を得ることができる。
【発明を実施するための最良の形態】
【００１９】
図１，２は本発明の止水リングをセパレータの止水に適用した場合の第１実施形態を示している。図１（ａ）において、コンクリート打設用の１対の型枠１間には、全周に雄ねじ部を形成した複数の丸棒状セパレータ２が配設され、各セパレータ２の両端を型枠１の外側に貫通させ、型枠１の内側部を木コン３（またはナット）により位置決め当接しているとともに、型枠１の外側部突出端にナット４をねじ込むことによって、両型枠１間を所定の間隙に保持している。
【００２０】
このセパレータ２の長手方向適宜位置（図ではほぼ中央位置）の外周には、本発明による止水リング５が、例えば１周半巻装されている。止水リング５は、図２に拡大して示すように、太ひも状に形成され、かつその断面中心部には長手方向に沿って細径の針金など、適度なばね性と変形追随性乃至復元性のある芯材７を一体に埋設した所定長さおよび径の水膨張性ゴム６からなるものである。
【００２１】
止水リング５は、予め、一巻或いは複数巻きの短い螺旋状に形成されていても良い。また、比較的長い螺旋紐状とし、セパレータ２に対する装着時においては、ニッパなどにより水膨張性ゴム６をセパレータ２の外径に応じて１〜３回程度巻回可能な長さに切り離して使用してもよい。
【００２２】
装着作業時において、作業者の手作業により、芯材７のばね性に抗してセパレータ２の外周に螺旋状に巻回することによって、止水リング５は、この巻回状態でセパレータ２の外周に強固に巻装保持される。なお、図２においては、説明のために芯材７が水膨張性ゴム６の切口端面より突出している状態を示しているが、実際には切断時において、芯材７の端面は、水膨張性ゴム６の切口端面と同一面に切離される。
【００２３】
図１（ａ）に示すように、止水リング５装着後に、型枠１間にコンクリートＣを打設する。このときコンクリートＣの落下衝撃やリバウンドによる衝撃は、打設中は持続的にセパレータ２および止水リング５にも加わり、特にコンクリート材料中の粗骨材などによって叩かれるが、粗骨材などが止水リング５にあたっても、芯材７の巻き締め力が作用しているため、従来のような脱落などを生ずることがなく、止水リング５はセパレータ２の外周に確実に保持されることになる。
【００２４】
コンクリートＣの打設後に、適宜の養生時期を経た後は、図１（ｂ）に示すように、ナット４を外して型枠１を脱型し、木コン３も引抜き、必要に応じてセパレータ２の外部突出端を切断し、木コン跡にシール材８を充填すれば（ナットの場合はそのままコンクリート内に残置する）、セパレータ２を埋め殺した状態でコンクリート製の構造物躯体Ｃ１が完成する。
【００２５】
養生後のコンクリートは収縮し、本実施形態のように、セパレータ２の全周に雄ネジ部が形成され、その凹凸による食付き効果があるとしても、境界面には僅かな隙間を生じている。そして、図１（ｂ）に向って構造物躯体Ｃ１の左側が建物の外側とすると、外側表面にしみこんだ雨水や、構造物躯体Ｃ１が水槽の場合には内部の水は、構造物躯体Ｃ１のコンクリート部分とセパレータ２との境界面を水みちとして矢印方向沿って建物内側又は外側に向けて浸透する。ところが、途中に設けられた止水リング５に接触することにより、水膨張性ゴム６は浸出水を吸収する結果、膨潤（体積膨張増加率約１００％）し、水みちは遮断される。
【００２６】
図３は、第２の実施形態を示している。図において、構造物躯体Ｃ１の左右方向を貫通して躯体Ｃ１内には、スリーブ１０が配管されている。スリーブ１０は、電線、電話線などの配線、配管スペースを確保するためのものであり、その材質としては、鋼管、塩ビ管などがあり、前記第１実施形態と同様に、予め型枠を貫通して配設され、コンクリート打設により、構造物躯体Ｃ１に一体化されるものであり、その適宜位置外周（図では左右方向中央）には、前記第１実施形態と同一構成の止水リング５が巻装されている。
【００２７】
但しスリーブ１０の径は大きいため、単に止水リング５を巻回しただけでは、巻き締め力が弱い。このため、本実施形態では、図３（ａ）に示すように略１周半巻装して、巻き始めと巻き終わり５ａが軸方向に重なるようにしてようにして、スリーブ１０の外周に巻回状態に保つようにしても良いし、図３（ｂ）に示すように、下方側で捻って結び目５ｂを形成することにより巻回状態に保つようにしてもよい。この作業では手で直接捻っても良いし、ペンチなど簡易工具を用いても良い。
【００２８】
本実施形態においても、矢印方向に浸透した水は、止水リング５に接触することにより、止水リング５が吸水・膨潤し、水みちを遮断する。そして、特にスリーブ１０の場合には、前記第１実施形態セパレータ２のように外周に雄ネジ部などの凹凸がなく、しかも材質が塩ビ管のようにコンクリートとの熱膨張率が異なる素材を埋設した場合にはその熱収縮差により水みちが形成されやすくなるため、さらに好適なものとなる。
【図面の簡単な説明】
【００２９】
【図１】（ａ），（ｂ）は本発明の第１実施形態による施工前後の状態を示す説明用断面図である。
【図２】図１（ａ）の円Ａ内を拡大して示す部分拡大斜視図である。
【図３】（ａ），（ｂ）は本発明の第２実施形態を示す説明用断面図である。
【符号の説明】
【００３０】
１  型枠
２  セパレータ（貫通体）
３  木コン（ブラコン）
４  ナット
５  止水リング
５ｂ  結び目
６  水膨張性ゴム
７  芯材
１０  スリーブ（貫通体）
Ｃ  コンクリート
Ｃ１  コンクリート構造物躯体
【図１】
0005154241.tif 000002
【図２】
0005154241.tif 000003
【図３】
0005154241.tif 000004